(57)【特許請求の範囲】
【請求項１】
側端部から導入された光を外部へ放出する照光面を有する平板状の光透過性部材で構成された導光板と、この導光板の照光面の全面に配置され、電気信号によって光の透過性が制御される液晶板と、前記導光板の側端部に接近して配置された光源と、前記導光板の側端部に前記光源を囲んで取付けられたリフレクタと、前記リフレクタと前記導光板の間にあって前記リフレクタと前記導光板とで囲む空間寸法が予め定められた設定値以下になるのを抑止する抑止部とを備え、前記抑止部は、前記導光板の側端部に形成されたＵ字状の脚部がリフレクタの底部に当接する当接部によって構成されていることを特徴とする液晶表示装置。
【請求項２】
側端部から導入された光を外部へ放出する照光面を有する平板状の光透過性部材で構成された導光板と、この導光板の照光面の全面に配置され、電気信号によって光の透過性が制御される液晶板と、前記導光板の側端部に接近して配置された光源と、前記導光板の側端部に前記光源を囲んで取付けられたリフレクタと、前記リフレクタと前記導光板の間にあって前記リフレクタと前記導光板とで囲む空間寸法が予め定められた設定値以下になるのを抑止する抑止部とを備え、前記抑止部は、前記リフレクタと前記導光板との間に介在するスペーサによって構成されることを特徴とする液晶表示装置。
【発明の詳細な説明】
【０００１】
【発明の属する技術分野】
この発明は、光源からの光を導光板の端面部（サイドエッジ）から導き込みバックライトとして液晶板を照らす構成の液晶表示装置、特に導光板とリフレクタと光源の部分の構造に関するものである。
【０００２】
【従来の技術】
従来の液晶表示装置は、図３に示す正面概要図および図４に示すＢ−Ｂ断面に示すように、裏側が反射面１００ａ、表側が照光面１００ｂ、厚さ方向の端面が端面部１００ｃを構成する導光板１００の端面部１００ｃから導き入れた線状の光源３００からの光を、導光板１００の中に導入させ、照光面１００ｂから放出させて液晶板４００を裏側から照らすようになっている。
【０００３】
このような液晶表示装置において、導光板１００とリフレクタ２００と線状の光源３００の部分の構造は、図４に示すように導光板１００の端の部分がリフレクタ２００で挟持され、さらに導光板１００の端面１００ｃの端の部分が導光板保持用ゴム７００に当って保持されて、導光板１００と光源３００の相対位置が変らないように保持する構造になっていた。
【０００４】
【発明が解決しようとする課題】
従来の液晶表示装置は、以上のような構造になっていたので、通常の取り扱いにおいては特に問題はないが、誤って液晶表示装置に機械的衝撃が加わり、導光板１００から導光板保持用ゴム７００に向けて圧縮力となる方向に力が加わると、導光板１００の端面部１００ｃが光源３００に衝突し線状光源３００を破損するという問題があった。
【０００５】
この発明は、上記のような課題を解決するためになされたもので、液晶表示装置に誤って機械的衝撃が加わることがあっても、導光板１００の端面部１００ｃが光源３００に衝突することのないようにした液晶表示装置を提供することを目的としている。
【０００６】
【課題を解決するための手段】
この発明に係る液晶表示装置は、側端部から導入された光を外部へ放出する照光面を有する平板状の光透過性部材で構成された導光板と、この導光板の照光面の全面に配置され、電気信号によって光の透過性が制御される液晶板と、前記導光板の側端部に接近して配置された光源と、前記導光板の側端部に前記光源を囲んで取付けられたリフレクタと、前記リフレクタと前記導光板の間にあって前記リフレクタと前記導光板とで囲む空間寸法が予め定められた設定値以下になるのを抑止する抑止部とを備え、前記抑止部は、前記導光板の側端部に形成されたＵ字状の脚部がリフレクタの底部に当接する当接部によって構成されていることを特徴とする。
【０００７】
また、この発明に係る液晶表示装置は、側端部から導入された光を外部へ放出する照光面を有する平板状の光透過性部材で構成された導光板と、この導光板の照光面の全面に配置され、電気信号によって光の透過性が制御される液晶板と、前記導光板の側端部に接近して配置された光源と、前記導光板の側端部に前記光源を囲んで取付けられたリフレクタと、前記リフレクタと前記導光板の間にあって前記リフレクタと前記導光板とで囲む空間寸法が予め定められた設定値以下になるのを抑止する抑止部とを備え、前記抑止部は、前記リフレクタと前記導光板との間に介在するスペーサによって構成されることを特徴とする。
【０００９】
【発明の実施の形態】
実施の形態１．
図１はこの発明の実施の形態１に係る液晶表示装置の正面概要図、図２は本発明に係る液晶表示装置の各種の実施例におけるＡ−Ａ断面を示す図である。図１において、１は導光板、２はリフレクタ、３は線状の光源、４は液晶板、５は光源保持具、である。また図２において、図１と同じ符号を付しているものは同一の機能のものまたは相当品を示す。図２（ａ）は第一の実施例、図２（ｂ）は第二の実施例、図２（ｃ）は第三の実施例、図２（ｄ）は第四の実施例、図２（ｅ）は第五の実施例に係るＡ−Ａ断面図である。図２において、１ａは反射面、１ｂは照光面、１１は突起部、１２は当接部、１４は当接部、２１は切り欠き部、２３は当接部、６はスペーサである。
【００１０】
次に動作について説明する。液晶表示装置は、所定の厚みを有する平面状の光透過性部材で構成された導光板１の厚み方向の端面部１ｃから導入された線状の光源３からの光を、導光板１の所定の領域に導くとともに照光面１ｂを経て放出して、液晶板４の裏側からバックライトとして照射し、液晶板４の表示面の各部分の光透過性に応じた表示を行う。リフレクタ２は、導光板１の側端部からＵ字状に伸びて光源３を囲みこの光源３からの光を反射して導光板１に導くとともに、導光板１の端部を挟持するように構成されている。また光源保持具５は線状の光源３を両端で保持している。
【００１１】
ここで、光源３からの光を効率よく端面部１ｃに導き入れるために、線状の光源３が導光板１の端面部１ｃとリフレクタ２で囲まれる空間内に端面部１ｃに接近して配置されている。このような構造になっているため、もしも液晶表示板に衝撃力が加わり端面部１ｃとリフレクタ２の間の距離が縮小する方向に力が働くと、従来の構造のものでは線状の光源３は導光板１とフレクタ２で囲まれた空間の中で押しつぶされることになるが、この発明のものでは、端面部１ｃとリフレクタ２の間に働く縮小方向の力に抗して、これを押しとどめる抑止部を端面部１ｃとリフレクタ２の間に設けているので、この問題が解決されている。抑止部の具体的構造は、以下に説明する構造になっている。
【００１２】
まず第一のタイプの抑止部は導光板１とリフレクタ２との間を係合させ、その係合によって導光板１とリフレクタ２とで囲む空間寸法が設定値以下に狭くならないようにするものである。
【００１３】
実施例１．
係合のさせかたとして、図２（ａ）に示すように、導光板１に設けられた突起部１１とリフレクタ２に設けられた切り欠き部２１とを係合させるようにした。この結果導光板１の突起部１１がリフレクタ２の切り欠き部２１に当たり導光板１がそれ以上リフレクタ２の内方に移動することはない。この結果、導光板１とリフレクタ２とで囲む空間寸法が設定値以下に狭くなることはない。
【００１４】
また、第二のタイプの抑止部として、リフレクタ２と導光板１の端面とを互いに当接させ、その当接によって導光板がそれ以上リフレクタの内方に移動することはないようにした。この場合も、この当接によって導光板１とリフレクタ２とで囲む空間寸法が設定値以下に狭くなることはない。
【００１５】
実施例２．
当接の仕方として、図２（ｂ）に示すように、リフレクタ２の端を段状に形成して導光板１の端面部１ｃの端部が当接する当接部２３を備えた構成とした。その結果、その当接によって導光板１がそれ以上リフレクタ２の内方に移動することはないようにした。この結果、導光板１とリフレクタ２とで囲む空間寸法が設定値以下に狭くなることはない。
【００１６】
実施例３．
また、他の当接の仕方として図２（ｃ）に示すように、導光板１の端部を段状に形成してリレクタ２の端面が当接する当接部１２を構成した。この結果、その当接によって導光板１がそれ以上リフレクタ２の内方に移動することはなくなる。
【００１７】
実施例４．
また、他の当接の仕方として図２（ｄ）に示すように、導光板１の端面部１ｃをＵ字状に形成し、その端面がリフレクタ２の底部に当接する当接部１４を構成した。この結果、導光板１とリフレクタ２とで囲む空間寸法が設定値以下に狭くなることがない。
【００１８】
実施例５．
また、他の抑止部の形式として図２（ｅ）に示すように、リフレクタ２と導光板１との間にスペーサ６を挿入し、このスペーサを介してリフレクタ２と導光板１と当接させ、その当接によって導光板１が設定値以上にリフレクタ２の内方に移動することはないようにした。この結果、導光板１とリフレクタ２とで囲む空間寸法が設定値以下に狭くなることはない。
【００１９】
【発明の効果】
この発明は、以上説明したように構成されているので、以下に示す効果を奏する。
【００２０】
端面部１ｃとリフレクタ２の間の距離が縮小方向に動くのを抑止する抑止部を備え、その抑止部によって導光板１とリフレクタ２とで囲む空間寸法が設定値以下に狭くなるのを抑止しているので、導光板１とリフレクタ２とが接近して光源部３を押しつぶすということがなくなる。
【図面の簡単な説明】
【図１】この発明の実施の形態１に係る液晶表示装置の正面概要図を示す。
【図２】この発明の実施の形態１  の各種実施例に係る液晶表示装置のＡ−Ａ断面図を示す。（ａ）は第一の実施例にかかるもの、（ｂ）は第２の実施例にかかるもの、（ｃ）は第３の実施例にかかるもの、（ｄ）は第４の実施例にかかるもの、（ｅ）は第５の実施例にかかるものである。
【図３】従来の液晶表示装置の正面概要図を示す。
【図４】従来の液晶表示装置のＢ−Ｂ断面図を示す。
【符号の説明】
１    導光板、    １ａ    反射面、    １ｂ    照光面、    １ｃ    端面部、
１１    突起部、    １２    当接部、    １４    当接部、
２    リフレクタ、    ２１    切り欠き部、    ２３    当接部、
３    光源、    ４    液晶板、    ５    光源保持部材、    ６    スペーサ。
【図１】
0003569602.tif 000002
【図２】
0003569602.tif 000003
【図３】
0003569602.tif 000004
【図４】
0003569602.tif 000005